(57)【要約】【課題】狭小なスペースに安定した状態で多数保管できる帽体及び帽子を提供する。【解決手段】ヘルメット１００を構成する帽体１０Ａは、複数の帽体１０Ａを積み重ねたときに下側に位置する帽体１０Ａの外側に形成された前側係合用凹部１２，１２、及び後側係合用突起部１３，１３に係合される前側被係合用突起部２，２、及び後側被係合用凹部３，３が内部に設けられる。【選択図】図１
2014031592.tif 000002
【特許請求の範囲】
【請求項１】
複数の帽体を積み重ねたときに下側に位置する前記帽体の外側に設けられた係合部に係合される被係合部が内部に設けられたことを特徴とする帽体。
【請求項２】
前記帽体は、帽体本体と、該帽体本体の内部に該帽体本体の内面に沿って設けられる積重用内装体とを備え、前記被係合部は前記積重用内装体に設けられたことを特徴とする請求項１に記載の帽体。
【請求項３】
前記被係合部は、前記帽体の内部にハンモック及びヘッドバンドと共に配設された状態で他の前記帽体に積み重ねられたときに、前記ハンモック及び前記ヘッドバンドによる干渉を受けずに前記他の帽体の前記係合部に係合される位置に配設されていることを特徴とする請求項１又は２に記載の帽体。
【請求項４】
前記積重用内装体は、弾性を有する衝撃吸収体として形成されたことを特徴とする請求項２に記載の帽体。
【請求項５】
前記被係合部は、前側に一対、後側に一対、それぞれ設けられたことを特徴とする請求項１乃至４の何れか一つに記載の帽体。
【請求項６】
前記積重用内装体には、
前記帽体本体の内部に前記積重用内装体が取り付けられて、ハンモックが前記帽体本体に配設された際に、前記積重用内装体の前記ハンモックが前記帽体本体に取り付けられる部分に切り欠き部が設けられていることを特徴とする請求項２又は４に記載の帽体。
【請求項７】
請求項１乃至６の何れか一つに記載の帽体と、該帽体の内部に配設されたハンモック及びヘッドバンドとを備えた帽子であって、
前記帽体の外側には、上側に積み重ねられた前記帽子の前記被係合部に係合される係合部が設けられたことを特徴とする帽子。
【請求項８】
多角形を組み合わせて形成された前記帽体を備えたことを特徴とする請求項７に記載の帽子。
【発明の詳細な説明】
【技術分野】
【０００１】
この発明は、防災用ヘルメット等の帽子の内部に設けられて複数の帽子の積重を補助する帽体、及びこの帽体を備えた防災用ヘルメット等の帽子に関する。
【背景技術】
【０００２】
従来、防災用ヘルメット等の帽子、特に、帽体が硬質の部材で形成されている帽子としては、半球状の帽体の内部に、衝撃を吸収するためのハンモックや装着者の頭部に帽体を固定するためのヘッドバンドが設けられた構成となったものがあげられる（例えば、特許文献１参照）。
【先行技術文献】
【特許文献】
【０００３】
【特許文献１】特開２００９−２４３００号公報
【発明の概要】
【発明が解決しようとする課題】
【０００４】
しかしながら、特許文献１に記載の発明においては、狭い場所に多数備蓄するための構成が設けられていない。例えば、特許文献１に記載の発明を複数積み重ねて備蓄しようとしても、帽体の外側や帽体の内部に、他の帽子に係合されるための構成が存在しない。そのため、同じ帽子を複数積み重ねることは難しく、仮に積み重ねたとしても、上に載せた帽子はずり落ちてしまいやすい。半球状の帽体を複数の積み重ねた状態でまとめて保管することは困難であるため、保管するために広い場所が必要になるという問題がある。
【０００５】
本発明はこのような課題に鑑みてなされたものであり、狭小なスペースに安定した状態で多数の帽子を保管することができる帽体、及びこの帽体を備えた帽子を提供することを課題としている。
【課題を解決するための手段】
【０００６】
かかる課題を解決するために、請求項１に記載の発明は、帽体であって、複数の帽体を積み重ねたときに下側に位置する前記帽体の外側に設けられた係合部に係合される被係合部が内部に設けられたことを特徴とする。
【０００７】
請求項２に記載の発明は、請求項１に記載の構成に加え、前記帽体は、帽体本体と、該帽体本体の内部に該帽体本体の内面に沿って設けられる積重用内装体とを備え、前記被係合部は前記積重用内装体に設けられたことを特徴とする。
【０００８】
請求項３に記載の発明は、請求項１又は２に記載の構成に加え、前記被係合部は、前記帽体の内部にハンモック及びヘッドバンドと共に配設された状態で他の前記帽体に積み重ねられたときに、前記ハンモック及び前記ヘッドバンドによる干渉を受けずに前記他の帽体の前記係合部に係合される位置に配設されていることを特徴とする。
【０００９】
請求項４に記載の発明は、請求項２に記載の構成に加え、前記積重用内装体は、弾性を有する衝撃吸収体として形成されたことを特徴とする。
【００１０】
請求項５に記載の発明は、請求項１乃至４の何れか一つに記載の構成に加え、前記被係合部は、前側に一対、後側に一対、それぞれ設けられたことを特徴とする。
【００１１】
請求項６に記載の発明は、請求項２又は４に記載の構成に加え、前記積重用内装体には、前記帽体本体の内部に前記積重用内装体が取り付けられて、ハンモックが前記帽体本体に配設された際に、前記積重用内装体の前記ハンモックが前記帽体本体に取り付けられる部分に切り欠き部が設けられていることを特徴とする。
【００１２】
請求項７に記載の発明は、請求項１乃至６の何れか一つに記載の帽体と、該帽体の内部に配設されたハンモック及びヘッドバンドとを備えた帽子であって、
前記帽体の外側には、上側に積み重ねられた前記帽子の前記被係合部に係合される係合部が設けられたことを特徴とする。
【００１３】
請求項８に記載の発明は、請求項７に記載の構成に加え、多角形を組み合わせて形成された前記帽体を備えたことを特徴とする。
【発明の効果】
【００１４】
請求項１に記載の発明によれば、複数の帽体を積み重ねたときに下側に位置する帽体の外側に設けられた係合部に係合される被係合部が、帽体の内部に設けられたことにより、帽子を積み重ねたときに、下側の帽体の一部が上側の帽子の内部に挿入された状態で、下側の帽体の係合部と上側の帽子の被係合部が係合した状態で固定される。そのため、係合部が設けられた帽子の内部に積重用内装体を配設すれば、帽体の開口部を下に向けた状態で、複数の帽子を積み重ねることができるため、保管状態で帽体の内部にゴミやほこりが溜まることはない。しかも複数の帽子を積み重ねて、狭小なスペースに多数の帽子を保管することができる。さらに、係合部と被係合部とが係合された状態で複数の帽子が積み重ねられるので、複数の帽子が積み重ねられた状態が安定する。これにより、狭小なスペースに安定した状態で多数保管することができる帽体を提供できる。
【００１５】
請求項２に記載の発明によれば、被係合部は、帽体を形成する帽体本体の内部に帽体本体の内面に沿って設けられる積重用内装体に設けられたことにより、被係合部は、一般に帽体本体よりも軟質な材質で形成される内装体に設けられるので、被係合部の加工形成が容易であって、被係合部の位置や形状を高い精度で形成できる。これにより、狭小なスペースに安定した状態で多数保管することができる帽体を簡易に提供できる。
【００１６】
請求項３に記載の発明によれば、被係合部がハンモック及びヘッドバンドによる干渉を受けずに他の帽体の係合部に係合される位置に配設されていることにより、複数の帽子を積み重ねたときに、ハンモックやヘッドバンドが邪魔になることなく、係合部と被係合部とを係合させることができる。これにより、この積重用内装体が装着された帽子を、一層安定した状態で多数保管することができる。
請求項４に記載の発明によれば、積重用内装体が装着された帽子の衝撃吸収力を高めると共に、一層安定した状態で多数保管することができる。
【００１７】
請求項５に記載の発明によれば、複数の帽子を積み重ねて保管する際、合計四箇所で係合部と被係合部とを係合させ、積み重ねた状態で安定させることができる。これにより、この積重用内装体が装着された帽子を、一層安定した状態で多数保管することができる。
【００１８】
請求項６に記載の発明によれば、ハンモックが帽体に取り付けられる部分に切り欠き部が設けられていることにより、この積重用内装体が装着された帽子において、ハンモックと積重用内装体をそれぞれ帽体の下方の開口周縁部近傍まで配設することができるため、特に積重用内装体を衝撃吸収体として形成した場合における、側面からの衝撃に対して効果的に作用させることができる。
【００１９】
請求項７に記載の発明によれば、狭小なスペースに安定した状態で多数の帽子を保管できる帽子を提供することができる。
【００２０】
請求項８に記載の発明によれば、帽体が多角形を組み合わせて形成されていることにより、水平面に載置したときや複数の帽子を積み重ねたときに良好な安定感を得ることができる。
【図面の簡単な説明】
【００２１】
【図１】この実施の形態のヘルメットの底面方向から見た斜視図である。
【図２】同上ヘルメットの帽体、及びこの実施の形態の衝撃吸収体の底面方向から見た斜視図である。
【図３】同上ヘルメットの帽体及び衝撃吸収体、並びにこの実施の形態のハンモックの底面方向から見た斜視図である。
【図４】同上ヘルメットの帽体の平面図である。
【図５】同上ヘルメットの衝撃吸収体の底面図である。
【図６】同上ヘルメットの衝撃吸収体の平面方向から見た斜視図である。
【図７】同上ヘルメットのヘッドバンドを折り畳んで帽体の内部に収容した状態の底面図である。
【図８】同上ヘルメットのヘッドバンドの斜視図である。
【図９】同上ヘルメットのハンモックの湾曲させる前の状態の正面図である。
【図１０】同上ヘルメットのヘッドバンドの前側部材の湾曲させる前の状態の正面図である。
【図１１】同上ヘルメットのヘッドバンドの後側部材を形成する第二部材の湾曲させる前の状態の正面図である。
【図１２】同上ヘルメットのヘッドバンドの後側部材を形成する第一部材の湾曲させる前の状態の正面図である。
【図１３】同上ヘルメットのヘッドバンドの後側部材を形成する第一部材のヒンジ部の部分拡大図である。
【図１４】同上ヘルメットのヘッドバンドの後側部材とハンモックとの湾曲させる前の状態の正面図である。
【図１５】同上ヘルメットのヘッドバンドの前側部材と後側部材とが連結部材で連結された状態の部分拡大図である。
【図１６】同上ヘルメットの耳紐及び顎紐の正面図である。
【図１７】同上ヘルメットが頭部に装着された状態を示す図である。
【図１８】同上ヘルメットのヘッドバンドの後側部材の第二部材が頭部に装着された状態を示す図である。
【図１９】同上ヘルメットが他のヘルメットの帽体に積み重ねられた状態を示す図である。
【発明を実施するための形態】
【００２２】
図１乃至図１９は、この発明の実施の形態を示す。
【００２３】
まず、構成を簡単に説明すると、図１に示す、この実施の形態の「帽子」としてのヘルメット１００は、災害時用等に用いられる防災用ヘルメットである。なお、この実施の形態の「帽子」は、防災用ヘルメット以外のどのようなヘルメット（例えば工事用ヘルメット、現場用ヘルメット、警備用ヘルメット等）であってもよく、また、ヘルメット以外のいかなる帽子であってもよい。
【００２４】
このヘルメット１００は、帽体１０Ａと、帽子用内装具２０とからなる。帽体１０Ａは、帽体本体１０と、「積重用内装体」としての衝撃吸収体１Ａとからなる。
【００２５】
帽体１０Ａを形成する帽体本体１０は、ＡＢＳ等、剛性の高い樹脂によって形成され、外部からの飛来物等による衝撃から頭部を保護する機能を奏する。帽体本体１０は、複数の多角形の組み合わせによって頭部を覆う形状に形成されている。帽体本体１０の前側は、前側に張り出して頭部の額部分を覆う庇部１１が形成されている。帽体本体１０の外側には、図４に示すように、前側に一対の「係合部」としての前側係合用凹部１２、後側に一対の「係合部」としての後側係合用突起部１３が設けられている。後側係合用突起部１３は帽体本体１０と一体形成されている。前側係合用凹部１２、後側係合用突起部１３には、同一構成のヘルメット１００を積み重ねた際にヘルメット１００の一部が載置され、複数のヘルメット１００を積み重ねることができるように形成されている。
【００２６】
衝撃吸収体１Ａは、弾性と衝撃吸収性を有する部材、例えば発泡スチロールによって形成されている。この衝撃吸収体１Ａは、帽体本体１０の内面に沿った形状に形成されている。具体的には、図５に示す通り、衝撃吸収体１Ａの内側の形状は、帽体本体１０の内側の形状に略沿った椀形に形成されている。また、図６に示す通り、衝撃吸収体１Ａの外側部分の形状は、帽体本体１０の内側部分の形状に略一致している。そして、図２及び図３に示すように、衝撃吸収体１Ａは、帽体本体１０の内面に嵌合されて配設される。そして、衝撃吸収体１Ａは、ハンモック２１が帽体本体１０に取り付けられることで、帽体本体１０の内面とハンモック２１とに挟持された状態で帽体本体１０に固定される。ハンモック２１を帽体本体１０に取り付けることで衝撃吸収体１Ａを帽体本体１０に固定する構成としたことにより、衝撃吸収体１Ａを帽体本体１０に接着するような、衝撃吸収体１Ａと帽体本体１０との取り付けのためだけの工程が不要になり、製造時の工数を削減できる。
【００２７】
図２及び図５に示すように、衝撃吸収体１Ａは、内側下方の前側に、「被係合部」としての、前側被係合用突起部２が一対設けられ、内側下方の後側に、「被係合部」としての、後側被係合用凹部３が一対設けられている。前側被係合用突起部２は衝撃吸収体１Ａと一体形成されている。図４及び図５に示すように、一対の前側被係合用突起部２，２の配設位置は、一対の前側係合用凹部１２，１２の配設位置に対応している。また、一対の後側被係合用凹部３，３の配設位置は、一対の後側係合用突起部１３，１３の配設位置に対応している。即ち、図４及び図５に示す通り、衝撃吸収体１Ａの底面視における一対の前側被係合用突起部２，２及び一対の後側被係合用凹部３，３の配設位置は、帽体本体１０の平面視における一対の前側係合用凹部１２，１２及び一対の後側係合用突起部１３，１３の配設位置に一致している。
【００２８】
一般に、衝撃吸収体１Ａは、帽体本体１０よりも軟質な材質で形成されて加工が容易である。そのため、この実施の形態においても、衝撃吸収体１Ａにおいて一対の前側被係合用突起部２，２及び一対の後側被係合用凹部３，３を容易に加工形成できて、一対の前側被係合用突起部２，２及び一対の後側被係合用凹部３，３の位置や形状を高い精度で形成することができる。
【００２９】
一対の前側被係合用突起部２，２及び一対の後側被係合用凹部３，３は、帽体本体１０の内部にハンモック２１及びヘッドバンド２２と共に配設された状態で他の帽体本体１０に積み重ねられたときに、ハンモック２１及びヘッドバンド２２による干渉を受けずに他の帽体本体１０の前側係合用凹部１２，１２及び後側係合用突起部１３，１３に係合される位置に配設されている。具体的には、図７に示すように、ヘッドバンド２２を折り畳んで帽体本体１０の内部に収容した状態における底面視の状態で、一対の前側被係合用突起部２，２及び一対の後側被係合用凹部３，３は、それぞれ、ハンモック２１及びヘッドバンド２２と重ならない位置に設けられている。
【００３０】
図４及び図５に示す通り、それぞれの前側被係合用突起部２の突出形状は、それぞれの前側係合用凹部１２の凹み形状に略一致する。また、それぞれの後側被係合用凹部３の凹み形状は、それぞれの後側係合用突起部１３の突出形状に略一致する。
【００３１】
図５及び図６に示す通り、衝撃吸収体１Ａは、下方の前側と下方の後側とがそれぞれ一対ずつ、側面視で略矩形に切り欠かれ、この切り欠かれた箇所が、それぞれ、「切り欠き部」としての一対の前側切り欠き部４，４、及び「切り欠き部」としての後側切り欠き部５，５をそれぞれ形成している。図３に示す通り、帽体本体１０の内部に衝撃吸収体１Ａ及びハンモック２１が配設されたときに、一対の前側切り欠き部４，４、及び一対の後側切り欠き部５，５の位置には、ハンモック２１の一対の前側延長片部２６，２６の先端部側、及び一対の後側延長片部２７，２７の先端部側が配設される。
【００３２】
図１に示すように、帽子用内装具２０は、ハンモック２１、ヘッドバンド２２、耳紐２３、顎紐２４を備えている。帽子用内装具２０は、帽体本体１０を頭部周辺に装着させると共に、帽体本体１０に加わった衝撃を緩和させる機能を奏する。
【００３３】
ハンモック２１は、柔軟性と剛性とを有し、繰り返しの使用や長期間の使用によっても伸びや剛性の低下が生じにくい合成樹脂、例えばポリエチレン、もしくはポリプロピレン等からなる。但し同様の性質を有するものであればどのような材質で形成されていてもよい。図９に示す通り、ハンモック２１は、このような材質の部材を平板形状に形成したものから成る。
【００３４】
図９に示すように、ハンモック２１は、使用者の頭頂部を抑える円環状の頭頂抑え部２５と、この頭頂抑え部２５から複数延長された計４本の略帯状の延長片部とを有している。この延長片部のうち、一方の一対は前側延長片部２６，２６を形成し、他方の一対は後側延長片部２７，２７を形成する。これら前側延長片部２６，２６の先端部、及び後側延長片部２７，２７の先端部には、前側延長片部２６，２６及び後側延長片部２７，２７の幅方向に張り出した嵌合片部２８，２８，２８，２８が設けられている。
【００３５】
ハンモック２１は、前側延長片部２６，２６がヘルメット１００の前側に配設され、後側延長片部２７，２７がヘルメット１００の後側に配設される。具体的には、図３及び図７に示すように、前側延長片部２６，２６の嵌合片部２８，２８が帽体本体１０の内部の前側の被嵌合部２９ａ，２９ａにそれぞれ嵌合され、後側延長片部２７，２７の後側の嵌合片部２８，２８が帽体本体１０の内部の後側の被嵌合部２９ａ，２９ａにそれぞれ嵌合される。
【００３６】
これにより、図３に示すように、ハンモック２１は、帽体本体１０及び衝撃吸収体１Ａの内部に沿って湾曲させた状態で、帽体本体１０の内部において、衝撃吸収体１Ａの内側に配設される。即ち、図１７に示すような、使用者が頭部にヘルメット１００を被って直立した状態である使用状態（以下単に「使用状態」と称する）において、頭頂抑え部２５は帽体本体１０内部の中央上部に配設され、前側延長片部２６，２６と後側延長片部２７，２７は帽体本体１０内部の中央部から外方の下方に向けて湾曲しながら垂下した状態で配設される。
【００３７】
図９に示すように、それぞれの前側延長片部２６の略中央部には耳紐取付孔部２９が開口形成されている。また、それぞれの後側延長片部２７の略中央部には後側取付孔部３０が開口形成されている。また、それぞれの前側延長片部２６の基端部には前側取付孔部３１が開口形成されている。
【００３８】
図１に示すように、ハンモック２１には、ヘッドバンド２２が取付けられる。図８に示す通り、ヘッドバンド２２は、前側部材３２と、前側部材３２に接続される後側部材３３とを備えている。図１０，図１１，図１２に示す通り、前側部材３２と後側部材３３とは、ハンモック２１と同じ素材を、ハンモック２１と同様に平板形状に形成したものから成る。
【００３９】
図１０に示す通り、前側部材３２は、帯状の前側当接部３４が設けられている。この前側当接部３４は、使用状態において長手方向が略水平方向に沿った状態となり、頭部の額部分に当接する。前側当接部３４の両端部には、連結部材３５が挿通される挿通孔部３６が設けられている。
【００４０】
前側部材３２の両端部近傍の一側側から略垂直方向には、一対の前頭部側接合片部３９，３９が突設されている。それぞれの前頭部側接合片部３９の先端部には、前頭部側取付孔部４０が開口形成されている。図１に示すように、前頭部側取付孔部４０は、ハンモック２１の前側取付孔部３１に重なった状態で、ビス４２によって取付けられる。
【００４１】
後側部材３３は、図１１に示す第一部材４３と、図１２に示す第二部材４４とが接続されて形成されている。第一部材４３は、使用者の頭部２００の側頭部に当接し、第二部材４４は後頭部に当接する。
【００４２】
図１１に示す通り、第一部材４３は略帯状に形成されている。第一部材４３の一端側には連結部材３５が挿通される筒状の挿通筒部４５が配設され、他端側には第二部材４４と接続される接続孔部４６が開口形成されている。図１２に示す通り、第二部材４４は略V字形状に形成されている。第二部材４４の略中央部は、突出部４７を形成している。この突出部４７は、ハンモック２１が帽体本体１０の内部に配設されて使用状態となったとき、帽体本体１０よりも下方に突出する（図１７参照）。また、図１２に示す通り、第二部材４４の両端部には、それぞれ後側部材側取付孔部４８が開口形成されている。
【００４３】
図１２に示す通り、第二部材４４の後側部材側取付孔部４８よりも中央部寄りには、それぞれ、第一耳紐挿通孔部４９，第二耳紐挿通孔部５０が近接して開口形成されている。図７に示すように、第一耳紐挿通孔部４９、第二耳紐挿通孔部５０には、何れか一方に耳紐２３が挿通される。また、第二部材４４の、第一耳紐挿通孔部４９，第二耳紐挿通孔部５０よりも中央部寄りには一対の接続孔部５１，５１が開口形成され、それぞれの接続孔部５１，５１は、第一部材４３の接続孔部４６に重なった状態でビス５２（図１参照）によって回動自在に接続される。
【００４４】
図１２に示すように、第二部材４４の両端部側には、ハンモック２１に取付けられる取付部５３が設けられる。この取付部５３の近傍には、薄肉のヒンジ部５４が設けられている。第二部材４４のヒンジ部５４よりも、使用状態において下方に延長された第二部材本体部５５は、ヒンジ部５４を介して折畳可能に形成されている。これにより、第二部材４４は、取付部５３がハンモック２１に取付けられた状態で、第二部材本体部５５がヒンジ部５４を介して回動する（図１３の矢印Ｂ参照）。
【００４５】
即ち、第二部材本体部５５は、使用状態における、第二部材本体部５５の長手方向が略垂直下方に延びた状態（及び図１３の実線で表示した状態）になる。また、使用者がヘルメット１００を装着していない、第二部材本体部５５が帽体本体１０の内部に収容された状態である非使用状態（以下単に「非使用状態」と称する。）にもなる。非使用状態においては、第二部材本体部５５の長手方向が略水平方向に延びた状態（図１３の点線で表示した状態）となり、第二部材４４が帽体本体１０よりも内側上方に位置する状態となる。
【００４６】
図１に示すように、第二部材４４とハンモック２１とは、後側部材側取付孔部４８と後側取付孔部３０とが重なった状態で、ビス５６によって取付けられる。ここで、図１４に示すように、第二部材４４が平板状態のときの後側部材側取付孔部４８，４８の間隔Ａ１１は、ハンモック２１が平板状態のときの後側取付孔部３０，３０の間隔Ａ１２よりも広い。
【００４７】
そして、後側部材側取付孔部４８，４８をそれぞれ後側取付孔部３０，３０の位置に合わせてビス５６，５６で取付けたとき、図１及び図１８に示すように、第二部材４４は撓んだ湾曲形状となる。即ち、平板形状の部材で形成した第二部材４４のほぼ全体の形状が、後頭部形状に沿って湾曲して立体形状に形成される。
【００４８】
図１７及び図１８に示すように、使用状態において、第二部材４４は前側部材３２よりも下方に張り出して、使用者の後頭部略全体を覆う形状となっている。そして、図１８に示すように、使用状態において、第二部材４４は使用者の後頭部に沿って湾曲した形状となっている。
【００４９】
また、図７及び図１９に示すように、非使用状態においては、第二部材４４がヒンジ部５４で折り畳まれた結果、ヘッドバンド２２の全体が帽体本体１０よりも、使用状態における内部上方に位置することになる。
【００５０】
図１５に示す通り、前側部材３２の挿通孔部３６と、第一部材４３の挿通筒部４５とには、連結部材３５が挿通される。図１５に示すように、連結部材３５は、前側部材３２と後側部材３３とを連結可能な弾性体、たとえばゴムひも等によって形成されている。連結部材３５の両端はストラップピン５７に挿通されており、連結部材３５の長さはストラップピン５７の取付位置によって調節可能に形成されている。
【００５１】
連結部材３５は、張力によって、ヘッドバンド２２の前側部材３２と後側部材３３とを引っ張る。前側部材３２と後側部材３３とは、連結部材３５の張力が働いたとき、それぞれヘッドバンド２２の縮径する方向に引っ張られることになる。
【００５２】
図９に示すハンモック２１のそれぞれの耳紐取付孔部２９，２９と、図１２に示す第二部材４４のそれぞれの第一耳紐挿通孔部４９又は第二耳紐挿通孔部５０とには、一対の耳紐２３のそれぞれが取付けられる。
【００５３】
図１６に示す、耳紐２３の耳紐本体部５８は、ポリプロピレン等の合成繊維によって形成されている。耳紐本体部５８の一端側は、それぞれの取付孔部（図示せず）に一の取付ビス５９が挿通されて接合された状態で環状に形成されている。
【００５４】
耳紐本体部５８の他端側には、ポリプロピレン等の樹脂によって形成されたビスホルダー６０が配設されている。ビスホルダー６０には、ハンモック２１の耳紐取付孔部２９と共に接合されるビス挿通孔６１が開口形成されている。
【００５５】
一対の耳紐２３，２３は、顎紐２４によって連結されている。図１６に示す、顎紐２４の顎紐本体部６２は、それぞれ耳紐本体部５８と同じ材質で形成されている。顎紐本体部６２の両端部は、それぞれ環状に形成されて耳紐２３，２３の一方と他方とに連結されている。顎紐本体部６２には、係脱可能なバックル６３が配設されている。
【００５６】
次に、この実施の形態の作用について説明する。
【００５７】
まず、非使用状態のヘルメット１００を使用する使用者は、帽体本体１０の内側を下方に向けた使用状態とし、帽体本体１０の内部に収容されたヘッドバンド２２の第二部材４４を下方に引き下ろす。これにより、第二部材４４の突出部４７は帽体本体１０よりも下方に突出する。そして、図１７に示すように、使用者は帽体本体１０の庇部１１を前にして頭部２００にヘルメット１００を被る。ヘッドバンド２２が連結部材３５の張力に抗して拡径された状態で、頭部２００に装着される。この状態で、ハンモック２１の頭頂抑え部２５は使用者の頭頂部に当接する。また、ヘッドバンド２２の前側部材３２の前頭部側接合片部３９は使用者の前頭部に、後側部材３３の第一部材４３は使用者の側頭部に、第二部材４４は使用者の後頭部にそれぞれ当接する。
【００５８】
そして、頭頂部がハンモック２１の頭頂抑え部２５に当接した状態で、使用者は両方の耳紐２３がそれぞれ形成する略三角形の空間（図１７参照）の中に耳を挿通させ、顎紐２４を顎の下方に垂らした状態とする。この状態で、使用者は顎紐２４のバックル６３を顎下で係合させると、ヘルメット１００が頭部２００に固定される。
【００５９】
この状態において、突出部４７は、前側部材３２よりも使用状態における下方に突出して後頭部に当接する。そのため、ヘルメット１００を被った際にヘッドバンド２２の後側部材３３が後頭部略全体を覆い、後頭部側の広い面積に密着して当接して固定されるので、帽体本体１０のぐらつきを抑止できる。
【００６０】
図１４に示すように、一対の後側部材側取付孔部４８，４８の間隔Ａ１１は、一対の後側取付孔部３０，３０の間隔Ａ１２よりも広い。そして、第二部材４４の後側部材側取付孔部４８，４８をそれぞれハンモック２１の後側取付孔部３０，３０に合わせてビス５６，５６（図１参照）で取付けると、図１及び図１７に示すように、第二部材４４は撓んだ湾曲形状となる。そのため、図１８に示すように、第二部材４４は、使用状態においても、使用者の後頭部に沿って湾曲した立体形状に形成される。これにより、後側部材３３の第二部材４４は、後頭部側にフィットした状態で頭部２００に装着される。
【００６１】
そして、ヘッドバンド２２の前側部材３２と後側部材３３とは移動可能であり、連結部材３５の張力が働く。このため、使用者がヘルメット１００を被った状態で、ヘッドバンド２２の前側部材３２は図１７に示す矢印Ｃ方向、後側部材３３には図１７に示す矢印Ｄ方向に、使用者の頭部２００は帽体本体１０の略中央部で固定される。
【００６２】
次に、使用後のヘルメット１００を保管する場合には、使用者は、図１８に示す、第二部材４４をヒンジ部５４で折り曲げて、第二部材４４の使用状態における下側を折り畳んで非使用状態とする。すると、図７に示すように、第二部材４４の、突出部４７を含む第二部材本体部５５が折り曲げられて帽体本体１０の使用状態における内部上方に収容され、帽子用内装具２０はコンパクトな形状になる。また、前述の通り、ハンモック２１の後側延長片部２７，２７に第二部材４４を取付けることで、第二部材４４は撓んだ湾曲形状となっている（図１参照）。そのため、この第二部材４４を内側に折り畳んで非使用状態としたとき、第二部材４４は外側に撓んだ湾曲形状から、帽体本体１０の内側の形状に沿って、内側に向けて撓んだ湾曲形状で形状を安定させることができる。
【００６３】
この非使用状態において、図７及び図１９に示すように、第二部材４４の突出部４７は帽体本体１０の内部に収容され、帽体本体１０から下方に突出しなくなる。そのため、この実施の形態のヘルメット１００は、非使用状態において、第二部材本体部５５が折り曲げられて帽体本体１０の内部に収容されることで、突出部４７が地面や床面に当接せず、ぐらつきのない安定した状態で地面や床面に載置させることができる。
【００６４】
次に、この状態で、床面等に、帽体本体１０の開口部を下にして載置した一のヘルメット１００の帽体本体１０の上に、他のヘルメット１００を載置させる。このとき、図１９に示すように、積み重ねられたヘルメット１００の第二部材４４の突出部４７も、帽体本体１０の内部に収容されるので、同一形状のヘルメット１００を積み重ねて保管し収容する際に、下方に突出した突出部４７が積み重ねに支障を来すことを防止できる。
【００６５】
このとき、図１９に示すように、下側に位置するヘルメット１００の帽体本体１０の前側係合用凹部１２，１２は、上側に位置するヘルメット１００の帽体本体１０の内部に配設された衝撃吸収体１Ａの前側被係合用突起部２，２に係合される。また同様に、上側に位置するヘルメット１００の後側係合用突起部１３，１３は、下側に位置するヘルメット１００の衝撃吸収体１Ａの後側被係合用凹部３，３に係合される。即ち、下側に位置するヘルメット１００の帽体本体１０上に、上側に位置するヘルメット１００が載置される。
【００６６】
ここで、図７に示すように、上側に位置するヘルメット１００の内部に配設された衝撃吸収体１Ａの前側被係合用突起部２，２や後側被係合用凹部３，３は、ハンモック２１及び折り畳まれたヘッドバンド２２による干渉を受けずに、下側に位置するヘルメット１００の帽体本体１０の外側に形成された前側係合用凹部１２，１２や後側係合用突起部１３，１３に係合される位置に配設されていることにより、図１９に示すように、複数のヘルメット１００，１００を積み重ねたときに、上側に位置するヘルメット１００のハンモック２１やヘッドバンド２２が邪魔になることなく、前側係合用凹部１２，１２と前側被係合用突起部２，２と、及び、後側係合用突起部１３，１３と後側被係合用凹部３，３とを、それぞれ係合させることができる。
【００６７】
このとき、図１９に示すように、積み重ねられたヘルメット１００，１００はそれぞれ四箇所の係合部と被係合部（つまり前側係合用凹部１２，１２と前側被係合用突起部２，２、後側係合用突起部１３，１３と後側被係合用凹部３，３）で係合されているので、重ね合わされたヘルメット１００，１００同士は強固に固定されて、複数のヘルメット１００，１００を積み重ねた状態で安定させることができて、上に積み重ねられたヘルメット１００のずり落ちが抑止される。
【００６８】
また、さらに複数のヘルメット１００を積み重ねたときも、同様に、前側係合用凹部１２，１２と前側被係合用突起部２，２、後側係合用突起部１３，１３と後側被係合用凹部３，３が係合されていくので、多数のヘルメット１００を積み重ねても、上に積み重ねられたヘルメット１００のずり落ちが抑止され、積み重ねた状態で安定させることができる。そのため、狭小なスペースに多数のヘルメット１００を積み重ねた状態のままで容易に保管し備蓄することが可能になる。
【００６９】
そして、ヘルメット１００を積み重ねるとき、図１９に示すように、それぞれのヘルメット１００は、帽体本体１０の開口部を下に向けた状態で積み重ねることができるため、保管状態で帽体本体１０の内部にゴミやほこりが溜まることはない。
【００７０】
また、衝撃吸収体１Ａには、ハンモック２１の一対の前側延長片部２６，２６及び一対の後側延長片部２７，２７が帽体本体１０に取り付けられる部分に前側切り欠き部４，４、及び後側切り欠き部５，５が設けられているため、ヘルメット１００において、ハンモック２１と衝撃吸収体１Ａとをそれぞれ帽体本体１０の下方の開口周縁部近傍まで配設することができる。そのため、ヘルメット１００の側面からの衝撃に対して効果的に作用させることができる。
【００７１】
このようにして、積み重ねたヘルメット１００の上に、更に別の同一形状のヘルメット１００を積み重ねることをくり返すことで、同一形状のヘルメット１００を狭小なスペースに安定した状態で多数積み重ねて収容、保管することができる。
【００７２】
以上、この実施の形態においては、複数のヘルメット１００を、狭小なスペースに安定した状態で多数保管することができる。
【００７３】
なお、上記実施の形態においては、多角形を複数組み合わせた形状の帽体本体１０を備えたヘルメット１００に衝撃吸収体１Ａを配設した事例を説明したが、これに限定されず、他のいかなる帽体、例えば半球状の帽体に、上記実施の形態と同様の前側係合用突起部や後側係合用凹部を設けると共に、この帽体の内部にこの実施の形態の衝撃吸収体１Ａを配設してもよい。
【００７４】
また、上記実施の形態においては、帽体本体１０の外側の前側に前側係合用凹部１２，１２、外側の後側に後側係合用突起部１３，１３をそれぞれ設け、衝撃吸収体１Ａの内側の前側に前側被係合用突起部２，２、内側の後側に後側被係合用凹部３，３を設ける構成としたが、帽体本体１０の外側に係合部が設けられ、衝撃吸収体１Ａの内側の、積み重ねられた際に下の帽体本体１０の係合部に対応する位置に被係合部が設けられる構成であれば、突起部と凹部との組合せはどのようなものであってもよい。また、前側係合用凹部１２，１２及び後側係合用突起部１３，１３の数と、前側被係合用突起部２，２及び後側被係合用凹部３，３の数とは、それぞれが対応する位置に同数設けられていれば、上記実施の形態より多くても少なくてもよい。
【００７５】
上記実施の形態において、後側係合用突起部１３，１３は帽体本体１０に一体形成された構成とし、前側被係合用突起部２，２は衝撃吸収体１Ａに一体形成された構成としたが、これらの係合用突起部や被係合用突起部を帽体や衝撃吸収体とは別部材の突起部材として形成し、この突起部材を帽体の外側に接着等によって接合させて係合用突起部や被係合用突起部とし、衝撃吸収体や帽体本体に形成された係合凹部や被係合用凹部に係合させてヘルメット同士を積み重ねる構成であってもよい。
【００７６】
上記実施の形態において、帽体１０Ａは帽体本体１０と衝撃吸収体１Ａとからなり、前側被係合用突起部２，２及び後側被係合用凹部３，３は衝撃吸収体１Ａに形成される構成としたが、前側被係合用突起部２，２及び後側被係合用凹部３，３を帽体本体１０に設ける構成としてもよい。
【００７７】
なお、上記実施の形態は本発明の例示であり、本発明が上記各実施の形態のみに限定されることを意味するものではないことは、いうまでもない。
【符号の説明】
【００７８】
１Ａ・・・衝撃吸収体（積重用内装体）
２・・・前側被係合用突起部（被係合部）
３・・・後側被係合用凹部（被係合部）
４・・・前側切り欠き部（切り欠き部）
５・・・後側切り欠き部（切り欠き部）
１０Ａ・・・帽体
１０・・・帽体本体
１２・・・前側係合用凹部（係合部）
１３・・・後側係合用突起部（係合部）
２１・・・ハンモック
２２・・・ヘッドバンド
１００・・・ヘルメット（帽子）
２００・・・頭部
【図１】
2014031592.tif 000003
【図２】
2014031592.tif 000004
【図３】
2014031592.tif 000005
【図４】
2014031592.tif 000006
【図５】
2014031592.tif 000007
【図６】
2014031592.tif 000008
【図７】
2014031592.tif 000009
【図８】
2014031592.tif 000010
【図９】
2014031592.tif 000011
【図１０】
2014031592.tif 000012
【図１１】
2014031592.tif 000013
【図１２】
2014031592.tif 000014
【図１３】
2014031592.tif 000015
【図１４】
2014031592.tif 000016
【図１５】
2014031592.tif 000017
【図１６】
2014031592.tif 000018
【図１７】
2014031592.tif 000019
【図１８】
2014031592.tif 000020
【図１９】
2014031592.tif 000021